(57)【特許請求の範囲】
【請求項１】
ＰＳＴＮ回線を介して画情報を通信するファクシミリ装置において、ＰＳＴＮ回線に接続して一定方向に回線電流を整流する整流ダイオードと、該ＰＳＴＮ回線の回線電流を検出する回線電流検出手段と、
ダイヤルパルス発信用のスイッチであるフォトカプラ、及びダイヤルパルス発信時にオフすることによりダイヤルパルス波形が歪むことを防止するフォトカプラの各発光ダイオードと、
前記回線電流検出手段により検出された回線電流が異常である場合には、前記各発光ダイオードの駆動を解除する駆動手段と、
前記各発光ダイオードの消灯を検知して該整流ダイオードにより整流された回線電流を遮断するフォトランジスタと、を備えたことを特徴とするファクシミリ装置。
【発明の詳細な説明】
【０００１】
【産業上の利用分野】
本発明は、ファクシミリ装置に関し、特に、ＰＳＴＮ回線に接続する留守番電話や外付け電話やＡＣ電源を使用するような電話を接続しても正常に動作し、回線電流が異常な場合には電流制限をし、ファクシミリ装置および交換機の破損を防ぐことができるファクシミリ装置に関する。
【０００２】
【従来の技術】
従来、ファクシミリ装置としては、特開平２−２３０８５７号公報記載の「ファクシミリ装置のリモートコントロール装置」が提案されている。このものは、プッシュボタン式電話機が発するＤＴＭＦ信号を用いてファクシミリ装置の状態を変更することにより、ファクシミリ装置の外部に制御機器を付加することなく、遠隔地からファクシミリ装置の内部状態を変更できるという利点を有している。
【０００３】
【発明が解決しようとする課題】
しかしながら、従来の「ファクシミリ装置のリモートコントロール装置」にあっては、以下のような問題があった。
【０００５】
また、交換機に故障が発生した場合には、これに起因して過電流が流れトランジスタが破損するといった問題があった。
そこで、本発明は、留守番電話や外付け電話やＡＣ電源を使用するような電話を接続しても正常に動作し、回線電流が異常な場合には電流制限をし、ファクシミリ装置および交換機の破損を防ぐことができるファクシミリ装置を提供することを課題としている。
【０００６】
【課題を解決するための手段】
課題を解決するための手段は、次のとおりである。
【００１１】
【課題を解決するための手段】
請求項１に係る発明は、上記課題を解決するため、ＰＳＴＮ回線を介して画情報を通信するファクシミリ装置において、ＰＳＴＮ回線に接続して一定方向に回線電流を整流する整流ダイオードと、該ＰＳＴＮ回線の回線電流を検出する回線電流検出手段と、ダイヤルパルス発信用のスイッチであるフォトカプラ、及びダイヤルパルス発信時にオフすることによりダイヤルパルス波形が歪むことを防止するフォトカプラの各発光ダイオードと、前記回線電流検出手段により検出された回線電流が異常である場合には、前記各発光ダイオードの駆動を解除する駆動手段と、前記各発光ダイオードの消灯を検知して該整流ダイオードにより整流された回線電流を遮断するフォトランジスタと、を備えたことを特徴とする。
【００１８】
請求項１に係る発明では、ＰＳＴＮ回線に接続して、整流ダイオードが一定方向に回線電流を整流し、回線電流検出手段がＰＳＴＮ回線の回線電流を検出する。回線電流検出手段により検出された回線電流が異常である場合には、駆動手段がフォトカプラの発光ダイオードの駆動を解除し、消灯を検知したフォトカプラのフォトランジスタが整流ダイオードにより整流された回線電流を遮断するので、回線電流が異常な場合には、ファクシミリ装置および交換機の破損を防ぐことができる。
【００２０】
【実施例】
以下、本発明の実施例を図面を参照して説明する。
まず、ファクシミリ装置のシステム構成について説明する。
図１は本発明の一実施例であるファクシミリ装置のシステム構成図である。
図１に示すように、ファクシミリ装置１００において、スキャナ部１は、原稿画像から所定解像度の画データを読み出す。プロッタ２は、画データをロール紙に物理的に記録する。システム制御部３は、ＣＰＵ、ＲＯＭ、ＲＡＭ等により構成されて各部を制御し、ファクシミリ装置の所定の動作を実現する。システムメモリ部４は、動作ファイルやページファイルにより構成される受信ファイルを記憶するとともに、現在時刻を示すバッテリーを具備したタイマーを有する。画情報メモリ部５は、スキャナ１により読み取られた原稿の画データを蓄積するとともに、通信制御部８により受信した符号化された画情報を蓄積する。符号化復号化部６は、送信する画データを画情報に符号化するとともに、受信した画情報を画データに復号化する。操作表示部７は、操作ガイダンスや各種異常メッセージ等を表示するとともに、そのガイダンスに従ってファクシミリ装置が所定の送受信処理やコピー機能を実行するための各種操作を行う。
【００２１】
通信制御部８は、ＰＳＴＮ回線を補足し、Ｇ３ファクシミリの通信プロトコルに基づいて発信先ファクシミリ番号として選択信号を送信し、着信を検出する等により所定の発呼・着信動作を行い、受信された画情報を受信する。
内部バス９は、ファクシミリ装置１００内に存在する各部とデータのやりとりを行う。ファクシミリ装置１００は、本発明の一実施例であるファクシミリ装置である。
【００２２】
図２は本発明の一実施例であるファクシミリ装置の通信制御部の構成を示す図である。
図２に示すように、Ｌ１，Ｌ２は公衆回線または専用回線である。ＴＥＬ１，ＴＥＬ２はファクシミリ装置１００に接続することができる電話である。回線電流検出手段１１は、ＰＳＴＮ回線の電流を検出する。リレー１２は、電話回線とファクシミリ装置の切り換えを行うメカニカルリレーである。ＬＣフィルタ１３は、インダクタとコンデンサにより構成される並列共振回路であり、共振周波数を１６ｋＨｚに設定して、１６ｋＨｚの入力信号レベルを減衰させる。整流ダイオード１４は、整流後の回線電流を一定方向に流す。フォトカプラ１５は、ダイヤルパルス発信用のスイッチであり、このスイッチをｏｎ／ｏｆｆすることでダイヤルパルスを発生させる。フォトカプラ１６は、ダイヤルパルス発信時にｏｆｆすることによりダイヤルパルス波形が歪むことを防止する。直流抵抗１７は、直流抵抗の値を制御する部分である。トランス１８は、ＰＳＴＮ回線とファクシミリ装置を絶縁し、ファクシミリ装置１００からの送受信号をＰＳＴＮ回線に入出力するトランスである。フォトカプラ１９は、外付け電話がダイヤルパルスを発信する時に、このスイッチをｏｆｆすることによりリンギング検出回路２０を切り離す。リンギング検出回路２０は、交換機からの呼び出し信号を検出するための回路である。ハイ・インピーダンス・トランス２１は、留守番電話着信時のコーリング・トーンＣＮＧを検出するとともに、外付け電話からのＰＢ信号を検出するためのトランスである。
【００２３】
受信フィルタ２２は、受信信号を増幅するとともに、音声帯域外の信号を遮断するバンド・パス・フィルタである。送信フィルタ２３は、送信信号を増幅するとともに、および音声帯域外の信号を遮断するバンド・パス・フィルタである。モデム２４は、送信信号を変調するとともに、受信信号を復調する。音声ＩＣ２５は、着信時に相手ファクシミリ装置に音声メッセージを発生する。
【００２４】
駆動手段２６は、フォトカプラ１５、フォトカプラ１６、フォトカプラ１９を構成するフォトカプラの発光ダイオードを通信制御部の命令に従って駆動する。ＣＰＵ２７は、通信制御部８の内部に存在する各手段を制御するとともに、Ｇ３ファクシミリの通信プロトコルに基づいて通信を行い、内部バス９を介してファクシミリ装置１００内に存在する各部とデータのやりとりを行う。
【００２５】
ＬＣフィルタ１３は、音声帯域外の不必要な特定周波数の過大な入力信号に対して、ＬＣ共振を用いてその周波数でのインピーダンスを大きくし、入力信号のレベルを減衰させて、バンド・パスフィルターの動作可能電圧内に減衰させる。本発明においては、１６ｋＨｚの入力信号に対して＋２０ｄｂｍの減衰を行い、受信画像に影響が起こらないようにする。
【００２６】
フォトカプラ１９は、外付け電話とリンギング検出回路２０を切り離すことで、ＴＥＬ１、ＴＥＬ２とリンギング検出回路２０とが接続されているために、リンギング検出回路２０の内部コンデンサに充電することに起因するダイヤルパルス波形の鈍りを回避でき、交換機が認識できるようにする。
モデム２４は、留守番電話モードの場合には、外付け電話が回線を閉結したときに、ハイ・インピーダンス・トランス２１を介して送信局側から送られてくるＣＮＧ信号を検出するとファクシミリ受信の動作を行う。また、電話モードの場合には、外付け電話が回線を閉結したときに、ＰＢ信号を検出するとファクシミリ受信動作を行う。
【００２７】
また、モデム２４は、音声帯域外のダイヤルトーン（１００Ｈｚ）を検出するためダイヤルトーン検出の時に、１００Ｈｚの信号を増幅する設定を行う。
電流制限手段２８は、抵抗Ｒ２の両端の電圧がツェナーダイオードＺＤ１のツェナー電圧ＶＺＤ１  以上になると電流制限がかかる。
次に、参考として、図２に示す直流抵抗１７について説明する。
【００２８】
図２に示すように、直流抵抗１７は、ツェナーダイオードＺＤ１、抵抗Ｒ１〜Ｒ５、コンデンサＣ、トランジスタＴＲ１〜ＴＲ２により構成される。
ＰＳＴＮ回線を介してＬ１、Ｌ２間に整流ダイオード１４がｏｎする電圧が発生すると、整流ダイオード１４に電流Ｉが流れる。
電流Ｉが流れた場合には、直流抵抗１７の両端（Ａ点、Ｂ点）に発生する電圧Ｖ１は、トランジスタＴＲ１の電流増幅率ｈFEによって、
【００２９】
【数１】
0003662265.tif 000002
【００３０】
である。
Ｌ１、Ｌ２間の電圧ＶL1-L2は、電流Ｉが流れた場合の回線電流検出手段１１、ＬＣフィルタ１３、整流ダイオード１４、およびフォトカプラ１６のそれぞれの電圧降下の和ΔＶにＶ１を加えた電圧である。
【００３１】
【数２】
0003662265.tif 000003
【００３２】
ここで、電流制限手段２８において、抵抗Ｒ２の両端の電圧（Ｉ×Ｒ１＋ＶBE）がツェナーダイオードＺＤ１のツェナー電圧ＶZD1 以上になると電流制限がかかる。
【００３３】
【数３】
0003662265.tif 000004
【００３４】
次に、図３に示すグラフは直流抵抗値の例を示す図である。
図３のように、Ａ国〜Ｄ国の直流抵抗値の上限および下限を示す。また、参考として、実線で示すファクシミリ装置の直流抵抗値は、回線電流Ｉによって動的に決定する。
次に、図４に示す受信フィルタの構成およびフィルタのレベル特性について説明する。
【００３５】
図４ａに示すように、従来は、１００Ｈｚの信号を検出するために、ダイヤルトーン検出用フィルタで１００Ｈｚの信号を増幅させ、受信用フィルタとダイヤルトーン検出用フィルタを切り換えていた。
図４ｂに示すように、従来は、受信フィルタのロー・パス・フィルタを多段構成にして、入力信号を受信画像に影響しないようにしていた。
【００３６】
図４ｃに示すように、参考として、受信フィルタをバンド・パス・フィルタで構成することで、信号レベルを減衰させることができ、フィルタの数を少なくすることができる。
次に、図５に示すフローチャートに基づいてダイヤルパルスの発信動作を説明する。
【００３７】
送信時に、ファクシミリ装置はリレー１２を外付け電話からファクシミリ装置へ切り換える（処理Ｓ１）。ファクシミリ側へ切り換えられると、ＰＳＴＮ回線から回線電流が流れ、回線電流検出手段１１がｏｎする（処理Ｓ２）。オペレータは、送信相手の番号を操作表示部７より入力し、送信する（処理Ｓ３）。このとき、オペレータの電話回線がダイヤルパルス回線か否かを判断し（処理Ｓ４）、ダイヤルパルス回線の場合には、フォトカプラ１６をｏｆｆにしフォトカプラ１５をｏｎ／ｏｆｆすることで発信する（処理Ｓ５）。
【００３８】
また、ダイヤルパルス回線ではなくＰＢ信号の場合にはファクシミリのモデム２４より発信する（処理Ｓ６）。
次に、参考として、図６に示すフローチャートに基づいて外付け電話から発信する発信動作を説明する。
また、外付け電話から発信する場合には、外付け電話の受話器が持ち上げられると（処理Ｓ７）、回線電流検出手段１１が回線電流を検知し（処理Ｓ８）、フォトカプラ１９をｏｆｆにし、リンギング検出回路２０を切り離す（処理Ｓ９）。電話の場合には、相手電話と接続終了後（処理Ｓ１０，処理Ｓ１１，処理Ｓ１２）、外付け電話の受話器を戻すと、回線電流検出手段１１が回線電流を非検出し（処理Ｓ１３）、フォトカプラ１９をｏｎして、リンギング検出回路２０を接続する（処理Ｓ１４）。
【００３９】
処理Ｓ１０で、ファクシミリ送信の場合には、相手ファクシミリと接続後にファクシミリ送信を行い（処理Ｓ１５）、送信終了後に（処理Ｓ１６）、回線電流検出手段１１が回線電流を非検出し（処理Ｓ１３）、フォトカプラ１９をｏｆｆにして、リンギング検出回路２０を接続する（処理Ｓ１４）。
次に、参考として、図７に示すフローチャートに基づいてＴＥＬ／ＦＡＸを自動受信する動作を説明する。
【００４０】
ＴＥＬ／ＦＡＸを自動受信する場合には、相手からの呼び出し信号を、リンギング検出回路２０が検出すると（処理Ｓ２０）、リレー１２を電話からファクシミリ側に切り換え（処理Ｓ２１）、相手からコーリング・トーン１１００Ｈｚの信号が送られてくるか否かを判断し（処理Ｓ２２）、コーリング・トーンを受信した場合には、被呼端末識別信号２１００Ｈｚ信号を返し（処理Ｓ２３）、ファクシミリ受信を行う（処理Ｓ２４）。コーリング・トーン１１００Ｈｚ信号が送られてこない場合には、音声ＩＣ２５から”ただ今ファクシミリに接続されてます”等のメッセージを出力して相手に送る（処理Ｓ２５）。
【００４１】
次に、参考として、図８に示すフローチャートに基づいて留守番電話モードの動作を説明する。
留守番電話モードの場合には、留守番電話に接続されていて、リンギング検出回路２０が呼び出し信号設定回数前に留守番電話に着信すると（処理Ｓ３０）、相手からコーリング・トーン１１００Ｈｚの信号が送られてくるか否かを判断し（処理Ｓ３１）、コーリング・トーンを受信した場合には、リレー１２を電話からファクシミリ側に切り換え、被呼端末識別信号２１００Ｈｚ信号を返し（処理Ｓ３２）、ファクシミリ受信を始める（処理Ｓ３３）。処理Ｓ３１で、相手が電話の場合には留守番電話が動作し続け留守番電話にメッセージを録音する（処理Ｓ３４）。
【００４２】
次に、図９に示すフローチャートに基づいて電話モードの動作を説明する。
電話モードの場合には、着呼後（処理Ｓ４０）、オペレータが外付け電話の受話器を持ち上げ、回線を閉結し（処理Ｓ４１）、外付け電話からＰＢ信号を送出し、モデムがこのＰＢ信号を検出すると（処理Ｓ４２）、ファクシミリ受信動作を行う（処理Ｓ４３）。
【００４３】
次に、図１０に示すフローチャートに基づいて自動発呼の動作を説明する。
自動発呼の場合には、送信原稿をスキャナ１にセットし（処理Ｓ５０）、相手ファクシミリの番号を入力すると（処理Ｓ５１）、リレー１２をファクシミリ側に切り換え、ダイヤルトーンを検出したか否かを判断し（処理Ｓ５２）、ダイヤルトーンが検出された場合には、発呼を行う。ダイヤルトーンが検出されなかった場合には、回線を切断する（処理Ｓ５４）。
【００４９】
次に、請求項１に係る発明の作用効果を説明する。
ＰＳＴＮ回線に接続して、整流ダイオードが一定方向に回線電流を整流し、回線電流検出手段がＰＳＴＮ回線の回線電流を検出する。回線電流検出手段により検出された回線電流が異常である場合には、駆動手段がフォトカプラの発光ダイオードの駆動を解除し、消灯を検知したフォトカプラのフォトランジスタが整流ダイオードにより整流された回線電流を遮断するので、回線電流が異常な場合には、ファクシミリ装置および交換機の破損を防ぐことができるファクシミリ装置を提供することができる。
【００５１】
【発明の効果】
留守番電話や外付け電話やＡＣ電源を使用するような電話を接続しても正常に動作し、回線電流が異常な場合には電流制限をし、ファクシミリ装置および交換機の破損を防ぐことができる。
【図面の簡単な説明】
【図１】本発明の一実施例であるファクシミリ装置のシステム構成を示す図である。
【図２】本発明の一実施例であるファクシミリ装置の通信制御部の構成を示す図である。
【図３】本発明の一実施例である直流抵抗値の例を示す図である。
【図４】本発明の一実施例である受信フィルタの構成およびフィルタのレベル特性を示す図である。
【図５】本発明の一実施例であるダイヤルパルスの発信動作のフローチャートを示す図である。
【図６】本発明の一実施例である外付け電話から発信する動作のフローチャートを示す図である。
【図７】本発明の一実施例であるＴＥＬ／ＦＡＸを自動受信する動作のフローチャートを示す図である。
【図８】本発明の一実施例である留守番電話モードの動作のフローチャートを示す図である。
【図９】本発明の一実施例である電話モードの動作のフローチャートを示す図である。
【図１０】本発明の一実施例である自動発呼の動作のフローチャートを示す図である。
【符号の説明】
１    スキャナ部
２    プロッタ部
３    システム制御部
４    システムメモリ部
５    画情報メモリ部
６    符号化復号化部
７    操作表示部
８    通信制御部
９    内部バス
１１    回線電流検出手段
１２    リレー
１３    ＬＣフィルタ
１４    整流ダイオード
１５    スイッチ
１６    ダイヤルショートリレー
１７    直流抵抗
１８    トランス
１９    スイッチ
２０    リンギング検出回路
２１    ハイ・インピーダンス・トランス
２２    受信フィルタ
２３    送信フィルタ
２４    モデム
２５    音声ＩＣ
２６    駆動手段
２７    ＣＰＵ
２８    電流制限手段
１００    ファクシミリ装置
【図１】
0003662265.tif 000005
【図２】
0003662265.tif 000006
【図３】
0003662265.tif 000007
【図４】
0003662265.tif 000008
【図５】
0003662265.tif 000009
【図６】
0003662265.tif 000010
【図７】
0003662265.tif 000011
【図８】
0003662265.tif 000012
【図９】
0003662265.tif 000013
【図１０】
0003662265.tif 000014